(57)【要約】    【課題】この発明は、ネジ止め式の取付け部を有する自動販売機等の機器筐体内に取付けられ、かつ紙幣識別機に破壊を目的とした外力が加わった際に、当該紙幣識別機を自動販売機の筐体内部へ逃がして、紙幣識別機に対する外力の影響を可及的に低減させるようにした紙幣識別機の取付け構造を提供する。    【解決手段】紙幣識別機１に対し破壊を目的とした外力が加わった際に、位置決め支承部６の取付け孔５周辺が変形もしくは破断するように位置決め支承部６に変形部３１を形成し、これにより、紙幣識別機１に対し破壊を目的とした外力が加わった際に紙幣識別機を機器筐体の内側へ退避可能にさせるようにした。    【選択図】  図１
2008097552.tif 000002
【特許請求の範囲】
【請求項１】
自動販売機等の機器筐体内に配設されたネジ止め式の取付け部に、取付け孔が形成された位置決め支承部を有する紙幣識別機を、該取付け孔内を嵌挿するネジを用いて前記ネジ止め式の取付け部分に螺着して前記機器筐体内部に位置決め支承させるようにした紙幣識別機の取付け構造において、
前記紙幣識別機に対し破壊を目的とした外力が加わった際に、前記位置決め支承部の取付け孔周辺が変形もしくは破断するように前記位置決め支承部に変形部を形成し、これにより、前記紙幣識別機に対し破壊を目的とした外力が加わった際に前記紙幣識別機を前記機器筐体の内側へ退避可能にさせるようにしたことを特徴とする紙幣識別機の取付け構造。
【請求項２】
前記変形部は、前記取付け孔から前記位置決め支承部の上端に連通するスリットであることを特徴とする請求項１に記載の紙幣識別機の取付け構造。
【請求項３】
前記変形部は、前記取付け孔から前記位置決め支承部の側方端に連通するスリットであることを特徴とする請求項１に記載の紙幣識別機の取付け構造。
【請求項４】
前記変形部は、前記位置決め支承部の取付け孔の周辺を囲むように形成された破断案内孔であることを特徴とする請求項１に記載の紙幣識別機の取付け構造。
【請求項５】
前記変形部は、前記取付け孔を有する蛇行形成された板であることを特徴とする請求項１に記載の紙幣識別機の取付け構造。
【請求項６】
前記変形部は、前記紙幣識別機に着脱自在に装着され、前記取付け孔が形成された別部品であることを特徴とする請求項１に記載の紙幣識別機の取付け構造。
【請求項７】
自動販売機等の機器筐体内に配設されたネジ止め式の取付け部に、ネジが嵌挿する位置決め支承部を有する紙幣識別機を、該位置決め支承部を嵌挿するネジを用いて前記ネジ止め式の取付け部分に螺着して前記機器筐体内部に位置決め支承させるようにした紙幣識別機の取付け構造において、
前記紙幣識別機に対し破壊を目的とした外力が加わった際に、前記位置決め支承部が変形もしくは破断するように前記位置決め支承部に別部品の変形部を配設し、これにより、前記紙幣識別機に対し破壊を目的とした外力が加わった際に前記紙幣識別機を前記機器筐体の内側へ退避可能にさせるようにしたことを特徴とする紙幣識別機の取付け構造。
【請求項８】
前記変形部は、前記位置決め支承部に着脱自在に装着されたバネであることを特徴とする請求項７に記載の紙幣識別機の取付け構造。
【請求項９】
前記バネは、両端に中心軸線に平行な環状のネジ嵌挿用のリングが形成されたコイルバネであることを特徴とする請求項８に記載の紙幣識別機の取付け構造。
【請求項１０】
前記バネは、一端に中心軸方向に対して直角に形成された環状のネジ嵌挿用のリングと他端に中心軸方向に対して平行なネジ嵌挿用のＵ字形状部が形成されたコイルバネであることを特徴とする請求項８に記載の紙幣識別機の取付け構造。
【請求項１１】
自動販売機等の機器筐体内に配設されたネジ止め式の取付け部に、ネジが嵌挿する位置決め支承部を有する紙幣識別機を、該位置決め支承部を嵌挿するネジを用いて前記ネジ止め式の取付け部分に螺着して前記機器筐体内部に位置決め支承させるようにした紙幣識別機の取付け構造において、
前記位置決め支承部を別部品とし、かつ該位置決め支承部を前記紙幣識別機の上下面に、外力が加わった際に変形あるいは脱落する変形部を介して取付け、これにより前記紙幣識別機に対し破壊を目的とした外力が加わった際に前記紙幣識別機を前記機器筐体の内側へ退避可能にさせるようにしたことを特徴とする紙幣識別機の取付け構造。
【請求項１２】
前記変形部は、フック部と、該フックが嵌着係合可能で、しかも分離可能な係合孔とからなるスナップ手段であることを特徴とする請求項１１に記載の紙幣識別機の取付け構造。
【発明の詳細な説明】
【技術分野】
【０００１】
この発明は紙幣識別機の取付け構造に係り、特に自動販売機や両替機等の機器筐体内部に取り付け、盗難防止を図る紙幣識別機の取付け構造に関する。
【背景技術】
【０００２】
一般に、図２２で示すように、自動販売機や両替機等の機器筐体内に搭載された紙幣識別機１は、紙幣挿入口２より挿入された紙幣の真偽を識別した後、紙幣を紙幣収容部３内へ収納するものであり、自動販売機などの機器筐体内部の壁面（扉の内側の面を含む）に取付けられている。
【０００３】
また図２３の要部破断面図で示すように、自動販売機等の機器筐体１０側には、紙幣識別機１の取付け位置に、開口部１１が設けられており、紙幣識別機１を筐体１０内部に取付けると、自動販売機の外部から開口部１１を介して紙幣識別機１の紙幣投入口２が設けられた部分が露出するようになっている。
【０００４】
そして、タイプやメーカーの異なる紙幣識別機と自動販売機同士が自由に取付けられるように自動販売機と紙幣識別機の取付け部分は、自動販売機業界で共通化されており、図２２で示すように、自動販売機は内部壁面に紙幣識別装置をネジによって取付けられるよう、上下２箇所づつ、計４箇所に雌ネジ部が形成された断面Ｌ形状の板材からなるネジ止め式の取付け部１２が設けられている。
【０００５】
一方、紙幣識別機１には前記ネジ止め式の取付け部１２に位置決め支承させて固定できるよう、図２２で示すように、紙幣識別機１のハウジングを構成する上部取付け板４には長孔の取付け孔５からなる位置決め支承部６が設けられ、下部取付け板７にはＵ字の切り込み８からなる位置決め固定部９が設けられており、図２３のごとく紙幣識別機１を自動販売機等の機器筐体１０内へネジ２０を介して位置決め支承するようになっている。
【０００６】
しかし、近年、自動販売機の筐体１０の開口部１１から紙幣識別機１の紙幣挿入口２へバールなどの工具を差し込んで、紙幣識別機１を破壊する悪戯が多発している。
【０００７】
この問題を解決するため、紙幣識別機の紙幣挿入口に対して自動販売機等の機器筐体の内部方向へ外力が加わった場合に、紙幣識別機を後方へ（筐体の内側へ）逃がして紙幣識別機が破壊されないようにした紙幣識別機の取付け装置が各種提案されている。
【０００８】
このような紙幣識別機の取付け装置として、特開平09-270039公報には、自動販売機の紙幣識別機取付け箇所に対して、紙幣識別機の下端を回動可能に枢着するとともに、自動販売機の紙幣識別機の上端部を取り付ける箇所には、紙幣職別機と係合し機器筐体の壁側へ紙幣誠別機の上部をバネのカで付勢するようにして紙幣識別機を係止する係留装置を設け、紙幣識別機の紙幣挿入口に対して筐体の内部方向へ外カが加わった場合に、紙幣識別機の上端と係留装置との係止が外れ、紙幣識別機を後方へ(筐体の内側へ)逃がして紙幣識別機が破壊されないようする紙幣識別機の取付装置が開示されている。
【０００９】
また特開2004-213282公報には、自動販売機の紙幣識別機の上端部を取り付ける箇所と下端部を取り付ける箇所に、紙幣識別機を筐体の壁側へ付勢するように紙幣識別機を係止する板バネからなる係留装置を設け、紙幣職別機の紙幣挿入口に対して筐体の内部方向へ外カが加わった場合に、紙幣識別機の上端および下端と係留装置との係止が外れ、紙幣識別機を後方へ(筐体の内側へ)逃がして紙幣識別機が破壊されないようにした紙幣識別機の取付け装置が開示されている。
【００１０】
また特開2004-295768公報には、自動販売機の紙幣識別機取り付け箇所と紙幣識別機の取付け板にネジが貫通する孔を設け、(一般的な自動販売機は、紙幣識別装置の取り付け部にネジ止め部があるが、特開2004-295768公報では単なるボルトやネジが貫通する孔になっている。)この自動販売機側の孔と紙幣識別機側の孔を重ね合わせ、ネジまたはボルトを嵌挿し、ネジ先端側からスペーサーをはめ込んで、ボルト又はネジの溝にスペーサーを食い込ませて紙幣識別機を自動販売機の筐体の壁面へ取付け、紙幣識別機の紙幣挿入口から筐体の内部方向へ外力が加わった場合に、スペーサーがボルトから外れることによって、紙幣識別機を後方へ(筐体の内側へ)逃がして紙幣識別機が破壊されないようにした紙幣識別機の取付け装置が開示されている、
【特許文献１】特開平09-270039公報
【特許文献２】特開2004-213282公報
【特許文献３】特開2004-295768公報
【発明の開示】
【発明が解決しようとする課題】
【００１１】
しかし、前記特許文献１乃至３に開示された、自動販売機の筐体内部へ紙幣識別装置を逃がす為の取付け装置は、いずれも、自動動販売機等の機器筐体側へ該取付け装置を設けており、既に出荷されて市場にある従来の「ネジ止め式の取付部を有する自動販売機」に対して、前記各特許文献１乃至３に記載されたような、紙幣識別機の取付け装置を後付(追加)することが出来ない難点がある。
【００１２】
このため、上記各特許文献に記載されたような従来の紙幣識別機の破壊防止対策は、市場の「ネジ止め式の取付け部を有する自動販売機」に対して実施出来ない問題があった。
【００１３】
この発明は上述した事情に鑑み、従来からある、ネジ止め式の取付け部を有する自動販売機等の機器筐体内に取付けられ、かつ紙幣識別機に破壊を目的とした外力が加わった際に、当該紙幣識別機を自動販売機の筐体内部へ逃がして、紙幣識別機に対する外力の影響を可及的に低減させるようにした紙幣識別機の取付け構造を提供することを目的とする。
【課題を解決するための手段】
【００１４】
上述した課題を解決するため、本願の第１の発明では、自動販売機等の機器筐体内に配設されたネジ止め式の取付け部に、取付け孔が形成された位置決め支承部を有する紙幣識別機を、該取付け孔内を嵌挿するネジを用いて前記ネジ止め式の取付け部分に螺着して前記機器筐体内部に位置決め支承させるようにした紙幣識別機の取付け構造において、前記紙幣識別機に対し破壊を目的とした外力が加わった際に、前記位置決め支承部の取付け孔周辺が変形もしくは破断するように前記位置決め支承部に変形部を形成し、これにより、前記紙幣識別機に対し破壊を目的とした外力が加わった際に前記紙幣識別機を前記機器筐体の内側へ退避可能にさせるようにしている。
【００１５】
また、本願の第２の発明では、自動販売機等の機器筐体内に配設されたネジ止め式の取付け部に、ネジが嵌挿する位置決め支承部を有する紙幣識別機を、該位置決め支承部を嵌挿するネジを用いて前記ネジ止め式の取付け部分に螺着して前記機器筐体内部に位置決め支承させるようにした紙幣識別機の取付け構造において、前記紙幣識別機に対し破壊を目的とした外力が加わった際に、前記位置決め支承部が変形もしくは破断するように前記位置決め支承部に別部品の変形部を配設し、これにより、前記紙幣識別機に対し破壊を目的とした外力が加わった際に前記紙幣識別機を前記機器筐体の内側へ退避可能にさせるようにしている。
【００１６】
また、本願の第３の発明では、自動販売機等の機器筐体内に配設されたネジ止め式の取付け部に、ネジが嵌挿する位置決め支承部を有する紙幣識別機を、該位置決め支承部を嵌挿するネジを用いて前記ネジ止め式の取付け部分に螺着して前記機器筐体内部に位置決め支承させるようにした紙幣識別機の取付け構造において、前記位置決め支承部を別部品とし、かつ該位置決め支承部を前記紙幣識別機の上下面に、外力が加わった際に変形あるいは脱落する変形部を介して取付け、これにより前記紙幣識別機に対し破壊を目的とした外力が加わった際に前記紙幣識別機を前記機器筐体の内側へ退避可能にさせるようにしている。
【発明の効果】
【００１７】
上述した、本願発明に係る紙幣識別機の取付け構造によると、紙幣識別機に対し破壊を目的とした外力が加わった際に、位置決め支承部の変形部により取付け孔周辺が変形もしくは破断し、これにより紙幣識別機を自動販売機等の機器筐体の内側へ退避可能にさせることができるから、紙幣識別機に対する外力の影響を可及的に低減させ、これにより破壊を目的とした外力による紙幣識別機の損傷を可及的に防止することができる。
【００１８】
また従来の自動販売機等の機器筐体内に配設されたネジ止め式の取付け部にネジ止めされる紙幣識別機の位置決め支承部に、変形もしくは破断する変形部を介在させるようにしたから、自動販売機等の機器筐体側を改造することなく、外力による損傷防止機能を有する紙幣識別機を取付けることができるため設備投資コストを大幅に削減することができる。
【発明を実施するための最良の形態】
【００１９】
以下、本願発明に係る紙幣識別機の取付け構造の一実施例を詳述する。
【実施例１】
【００２０】
図１は本願の第１の発明に係る紙幣識別機の取付け構造を説明する紙幣識別機１の概念斜視図で、図１１と同一部分を同一符号で示す。
【００２１】
図１に示すように、紙幣識別機１のハウジングを構成する上部取付け板４には、ネジが嵌挿する長孔からなる取付け孔５が形成された位置決め支承部６が形成されており、またこの位置決め支承部６には、取付け孔６から位置決め支承部６の上端に連通するスリット３０により構成された変形部３１が形成されている。
【００２２】
なお、紙幣識別機１のハウジングを構成する下部取付け板７には従来と同様に、Ｕ字の切り込み８からなる位置決め固定部９が形成されている。
【００２３】
次に上述したスリット３０により構成された変形部３１を有する紙幣識別機１の作用を説明する。
【００２４】
図２は、自動販売機等の機器筐体１０の内部壁面に形成された４箇所のネジ止め式の取付け部１２に、スリット３０により構成された変形部３１を有する紙幣識別機１の位置決め支承部６と、Ｕ字の切り込み８からなる位置決め固定部９をネジ２０によって取付けた状態を示す概念図である。
【００２５】
なお、図３は、紙幣識別機１の下部である、Ｕ字の切り込み８からなる位置決め固定部９をネジ２０によって機器筐体１０のネジ止め式の取付け部１２に取付けた状態を示す要部拡大断面図であって、スペーサー４０を介してネジ２０で取り付けた図であり、また図４は、紙幣識別機１の下部である、Ｕ字の切り込み８からなる位置決め固定部９をネジ２０によって機器筐体１１のネジ止め式の取付け部１２に取付けた状態を示す要部拡大断面図であって、スペーサー４０を介さずに、そのままネジ２０で取り付けた状態を示す要部拡大図である。
【００２６】
なお本実施例に記載した紙幣識別機１が取り付けられる自動販売機の機器筐体１０内には、紙幣識別機１を取り付けるスペースが確保されており、紙幣識別機１をこの機器筐体１０内へ取り付けた際にも、紙幣識別機１の上部と後方部に若干の空問を有する。
【００２７】
次に作用を説明する。
【００２８】
図２に示すように、紙幣挿入口１１ヘバール等の工具４１を差し込んで紙幣識別機１を破壊しようとすると、スリット３０により構成された変形部３１を有する紙幣識別機１の位置決め支承部６のうち、変形部３１のスリット３０（図１参照）の部分は容易にその幅が拡大して変形し、若しくは破断するため、ネジ２０から幅が拡大したスリット３０が脱落し、そのため紙幣識別機１の上部は機器筐体１０から分離して位置決め支承状態から解除される。
【００２９】
なお、図３に示すように、Ｕ字の切り込み８からなる位置決め固定部９をネジ２０によって機器筐体１１のネジ止め式の取付け部１２にスペーサー４０を介してネジ２０で取り付けた場合、スペーサー４０は、紙幣識別機１の下部取付け板７の板厚より若干厚い幅(０．１ミリ程度)を有し、ネジ２０で締め付けて取り付けた際に、ネジ２０と機器筐体１０の取り付け板１０ａ側との問の距離が、紙幣識別機１の下部取付け板７の厚さより広くなり、このため紙幣識別機１の下部取付け構造は、自助販売機等の機器筐体１０に完全に固着されるのではなく、遊びが出来ている。
【００３０】
この図３のように紙幣識別機１の下部を取り付けると、図２に示すように、スリット３０により構成された変形部３１を有する紙幣識別機１の位置決め支承部６による紙幣識別機１の上部の取付けが解除されたときに、紙幣識別機１が筐体１０の後方へ倒れ、バール等の工具により矢印Ａ方向へ外力が加わると、紙幣識別機１全体が上方へ移動する（即ち紙幣識別機全体が上方へ浮き上がる）。これにより、容易に図３に示す紙幣識別機１の下部の取付け構造も解除され、紙幣識別機１全体が機器筐体１０の内部へ落下することとなる。
【００３１】
なお、図４に示すように、識別機１の下部をスペーサー４０を介さずに、そのままネジ２０で取り付けた場合、ネジ２０の締め付けカが強いと、紙幣識別機１が機器筐体１０内の後方へ倒れなくなったり、外部から外カが加わっても、紙幣識別機１の上部の取付状態が解除されない場合もあるので、ネジ２０の締め付けカを弱くして、ネジ緩み防止剤等で固定するようにする。
【００３２】
即ち、図２で示すように、紙幣識別機１の紙幣挿入口２ヘバール等の工具４１を差し込んで破壊行為がなされた場合、まず、スリット３０により構成された変形部３１を有する紙幣識別機１の位置決め支承部６のうち、変形部３１のスリット３０（図１参照）の部分は容易にその幅が拡大して変形し、若しくは破断するため、ネジ２０から幅が拡大したスリット３０が脱落し、そのため紙幣識別機１の上部は機器筐体１０から分離して、位置決め支承状態から解除される。
【００３３】
これにより、紙幣識別装置１全体が、その下部の部分を軸として後方へ傾斜する。
【００３４】
次に、バール等の工具４１を矢印Ａ方向へさらに力を加えてさらに破壊しようとすると、工具４１の外カにより、紙幣識別機１の全体が上方へ移動する (即ち紙幣識別機１全体が浮き上がる)。
【００３５】
この時、紙幣識別機１の下部を構成する位置決め固定部９の取り付け状態が解除され、紙幣識別機１全体が機器筐体１０の内部へと落下することとなる。
【実施例２】
【００３６】
図５はこの発明に係る紙幣識別機の取付け構造の実施例２を説明する紙幣識別機１の概念斜視図で、図１と同一部分を同一符号で示す。
【００３７】
この実施例２に記載したものも、実施例１に記載したものと同一の作用効果を奏するが、実施例１と構造が異なるところは、変形部３１を構成するスリットの形成方向が、実施例１のスリット３０は取付け孔５から位置決め支承部６の上端に連通するように形成したが、実施例２のスリット５０は、図５で示すように、取付け孔５から位置決め支承部６の側方端に連通するように形成した点が異なるのみである。
【００３８】
なお、紙幣識別機１のハウジングを構成する下部取付け板７には従来と同様に、Ｕ字の切り込み８からなる位置決め固定部９が形成されている。この点も実施例１と同一である。
【００３９】
なお、上述した取付け孔５から位置決め支承部６の側方端に連通するように形成したスリット５０を有する変形部３１も、実施例１に記載したものと同様に、変形部３１のスリット５０の部分は容易にその幅が拡大して変形し、若しくは破断するため、ネジ２０から幅が拡大したスリット５０が脱落するので、実施例１に記載したものと同一の作用効果を奏する。
【実施例３】
【００４０】
図６はこの発明に係る紙幣識別機の取付け構造の実施例３を説明する紙幣識別機１の概念斜視図で、図１と同一部分を同一符号で示す。
【００４１】
この実施例３に記載したものは、実施例１、実施例２に記載した変形部３１がスリット３０，５０を構成要素とするのに対し、図６で示すように、紙幣識別機１のハウジングを構成する上部取付け板４には、ネジが嵌挿する長孔からなる取付け孔５が形成された位置決め支承部６が形成され、またこの位置決め支承部６の取付け孔５周辺には、当該取付け孔５周を囲むように上部取付け板４を貫通する破断案内孔６０の変形部３１が形成されている。
【００４２】
なお、上述した取付け孔６周辺に形成された変形部３１である破断案内孔６０は、図６で示すようにL字状でもよく、また長孔形状、あるいはミシン孔でもよい。
【００４３】
なお、紙幣識別機１のハウジングを構成する下部取付け板７には従来と同様に、Ｕ字の切り込み８からなる位置決め固定部９が形成されている。この点は実施例１、実施例２と同一である。
【００４４】
この実施例３の場合は、図２で示すように、ネジ２０で紙幣識別機１を機器筐体１０に取付けた後、紙幣挿入口２にバール等の工具４１が差し込まれて破壊されようとすると、その際、取付け孔５が形成された位置決め支承部６が、図６に示す変形部３１の破断案内孔６０に沿って破断し、これにより紙幣識別機１の上部は機器筐体１０から分離する(紙幣識別機１の上部の取り付け状態が解除される)。
【００４５】
これにより、紙幣識別装置１全体が、その下部の部分（位置決め固定部９）を軸として後方へ傾斜する。
【００４６】
次に、バール等の工具４１を矢印Ａ方向へさらに力を加えてさらに破壊しようとすると、工具４１の外カにより、紙幣識別機１の全体が上方へ移動する (即ち紙幣識別機１全体が浮き上がる)。
【００４７】
この時、紙幣識別機１の下部を構成する位置決め固定部９の取り付け状態が解除され、紙幣識別機１全体が機器筐体１０の内部へと落下することとなる。
【実施例４】
【００４８】
図７はこの発明に係る紙幣識別機の取付け構造の実施例４を説明する紙幣識別機１の概念斜視図で、図１と同一部分を同一符号で示す。
【００４９】
この実施例４に記載したものは、図７で示すように、紙幣識別機１のハウジングを構成する上部取付け板４に、ネジが嵌挿する長孔からなる取付け孔５が形成された位置決め支承部６が形成されており、またこの位置決め支承部６には蛇行形成された板７０からなる変形部３１が形成されている。
【００５０】
なお、紙幣識別機１のハウジングを構成する下部取付け板７には従来と同様に、Ｕ字の切り込み８からなる位置決め固定部９が形成されている。この点は実施例１乃至実施例３と同一である。
【００５１】
この実施例４の場合は、図２で示すように、ネジ２０で紙幣識別機１を機器筐体１０内に取付けた後、紙幣挿入口２にバール等の工具４１が差し込まれ外力を受けて破壊されようとすると、図７で示す位置決め支承部６が、変形部３１である蛇行形成された板７０がその長手方向へ広がることによって弾性変形する。
【００５２】
すると、紙幣識別機１は機器筐体１０の内側へ逃げることとなって、これによりバール等の工具４１が差し込まれる等の外力による影響を可及的に低減させて紙幣識別機１の損傷を可及的に防止することとなる。  
【実施例５】
【００５３】
図８はこの発明に係る紙幣識別機の取付け構造の実施例５を説明する紙幣識別機１の概念斜視図で、図１と同一部分を同一符号で示す。
【００５４】
この実施例５に記載したものは、図８で示すように、ネジが嵌挿する長孔からなる取付け孔５が形成された位置決め支承部６が、合成樹脂等の材質により別部品の変形部８０として形成され、紙幣識別機１のハウジングを構成する上部取付け板４に着脱自在に取付けられたものである。
【００５５】
なお、図示は省略されているが、紙幣識別機１のハウジングを構成する下部取付け板７には従来と同様に、Ｕ字の切り込み８からなる位置決め固定部９が形成されている。この点は実施例１乃至実施例４と同一である。
【００５６】
そして、図９で示すように、別部品の変形部８０として形成された、ネジが嵌挿する長孔からなる取付け孔５が形成された位置決め支承部６は、紙幣識別機１のハウジングを構成する上部取付け板４に形成された断面コの字形嵌挿部４ａと側方部４ｂとに嵌挿して位置決め支承されている。
【００５７】
図１０は別部品の変形部８０として形成された、ネジが嵌挿する長孔からなる取付け孔５が形成された位置決め支承部６の拡大斜視図で、変形部８０の底部８１は、図９に示すコの字形嵌挿部４ａに嵌着支承される部分であり、側方に形成された溝部８２は図９に示す上部取付け板４の側方部４ｂを嵌挿するものである。
【００５８】
また底部８１からは、一対の細い脚部８３が立設され、この脚部８３上の部分に取付け孔５が形成されている。
【００５９】
この実施例５の場合は、図２で示すように、ネジ２０で紙幣識別機１を機器筐体１０内に取付けた後、紙幣挿入口２にバール等の工具４１が差し込まれ外力を受けて破壊されようとすると、図１０で示す変形部８０の一対の細い脚部８３が弾性変形あるいは破断する。
【００６０】
すると、紙幣識別機１は機器筐体１０の内側へ逃げることとなって、これによりバール等の工具４１が差し込まれる等の外力による影響を可及的に低減させて紙幣識別機１の損傷を可及的に防止することとなる。
【実施例６】
【００６１】
図１１は本願発明に係る紙幣識別機の取付け構造の実施例６を説明する紙幣識別機１の概念背面図で、図１乃至図１０と同一部分を同一符号で示す。
【００６２】
この実施例６は本願の第２の発明として記載したもので、図１１で示すように、ネジが嵌挿する位置決め支承部６、即ちネジが嵌挿する取付け孔５が形成された位置決め支承部６が、両端に環状のリング９１、９２を有する金属製のコイルバネ９３からなる別部品の変形部９０として形成されている。
【００６３】
この金属製のコイルバネ９３からなる変形部９０は、紙幣識別機１のハウジングを構成する上部取付け板４と下部取付け板７に、それぞれ２箇所づつ合計４箇所に配設され、一方のリング９２に嵌挿するネジ９４により上部取付け板４と下部取付け板７とにそれぞれ螺着されている。
【００６４】
なお、上述した金属製のコイルバネ９３からなる変形部９０は図１１の要部破断面図で示す図１２のように、コイルバネ９３の中心軸方向に対して平行に環状のリング９１、９２が形成され、このうち、一方のリング９２が螺着される位置の上部取付け板４と下部取付け板７の各両側方には、前記ネジ９４が螺着する雌ネジ部９５が形成され、この雌ネジ部９５に螺合する前記ネジ９４により金属製のコイルバネ９３からなる別部品の変形部９０は前記上部取付け板４と下部取付け板７の各両側方に螺着され、そこに固定される。なお、図１２は上部取付け板４に形成された雌ネジ部９５を代表して示したものである。
【００６５】
また、図１３は、上述したネジが嵌挿する取付け孔５が形成された位置決め支承部６である、金属製のコイルバネ９３からなる別部品の変形部９０を取付けた状態を示す紙幣識別機１の側面図である。
【００６６】
この実施例６の場合は、図１４で示すように、自動販売機等の機器筐体１０の内部壁面に形成された４箇所のネジ止め式の取付け部１２に、位置決め支承部６である変形部９０の他方のリング９１（図１１参照）により形成された取付け孔５内にネジ２０を嵌挿させて紙幣識別機１を取付けた後、紙幣挿入口２にバール等の工具４１を差込み、これにより外力を受けて破壊しようとすると、位置決め支承部６である変形部９０のコイルバネ９３（図１１）は、外力を受けると外力の方向へ上下左右に伸縮するので、紙幣識別機１は外カの加わった方向へ移動して、その外力を吸収するので、バール等の工具４１による外カを破壊したい箇所に集中させにくくなり破壊行為を未然に防ぐことができる。また、外カによってコイルバネ９３が破断した場合には、紙幣識別機１は自動販売機等の機器筐体１０の内部へ脱落し、この場合も、紙幣識別機１が、自動販売機等の機器筐体１０の開口部から紙幣挿入口２が離間して、バール等の工具４１による破壊行為が出来なくなる。
【００６７】
また、特に実施例６の場合は、、バール等の工具４１による破壊行為において、その破壊カを集中させることが難しいので破壊行為に手間と時間がかかり、悪戯が未遂となる可能性が極めて高くなる。
【００６８】
なお、上記実施例では、金属製のコイルバネ９３からなる別部品の変形部９０を図１２で示すように、コイルバネ９３の両端に、コイルバネの中心軸方向に対して平行となるように一対の環状のリング９１、９２を形成するようにしたが、この発明に係る変形部９０は上記実施例に限定されることなく、図１１と同一部分を同一符号で示す図１５、図１５の側面図で示す図１６、および図１５の背面図で示す図１７で示すように、コイルバネ９３の一端に、当該コイルバネ９３の中心軸方向に対して直角に形成された環状のリング部１００（図１６）と、コイルバネ９３の他端に当該コイルバネ９３の中心軸方向に対して平行なＵ字形状部１０１（図１５，図１７）を形成するようにしてもよい。
【００６９】
この場合、変形部９０の一方に形成された環状のリング部１００は、上部取付け板４と下部取付け板７の両端に形成された各折れ曲がり部４ａ（７ａ）に形成された雌ネジ部（図示せず）に螺合するネジ９４により、上部取付け板４と下部取付け板７の各両側方に２箇所づつ合計４箇所に螺着する。
【００７０】
そして、上記実施例では、コイルバネ９３の中心軸方向に対して平行なＵ字形状部１０１に、図１４で示すネジ２０を嵌挿させて、自動販売機等の機器筐体１０の内部壁面に取付けるようにする。
【００７１】
なお、上記実施例の場合は、コイルバネ９３の軸心方向に対して平行なＵ字形状部１０１にネジ２０を嵌挿させて自動販売機等の機器筐体１０の内部壁面に取付けるので、図１４に示すバール等の工具４１による破壊行為において、Ｕ字形状部１０１にネジ２０を嵌挿させて取付けているので、この部分が前述した環状のリング部９１と比較して脱落しやすく、紙幣識別機１は自動販売機等の機器筐体１０の内部へより一層簡単に脱落し、紙幣識別機１の損傷を可及的に保護することもできる。なお、上記実施例では、別部品の変形部９０を金属製のコイルバネ９３により構成したが、この発明は上記実施例に限定されることなく、例えば金属製の板バネにより構成するようにしてもよい。
【実施例７】
【００７２】
図１８は本願発明に係る紙幣識別機の取付け構造の実施例７を説明する紙幣識別機１の概念背面斜視図で、図１乃至図１７と同一部分を同一符号で示す。
【００７３】
この実施例７は本願の第３の発明として記載したもので、図１８で示すように、ネジが嵌挿する位置決め支承部６、即ちネジが嵌挿する取付け孔５、およびネジが嵌挿するＵ字形状の溝８が形成された位置決め支承部６が、紙幣識別機１とは別体に形成され、かつ変形部２００を介して前記紙幣識別機１の上面１ａと下面１ｂとにそれぞれ着脱自在に取付けられた構造をしている。
【００７４】
上述した位置決め支承部６は断面Ｌ字形状に形成され、また変形部２００は、各位置決め支承部６の底面に突設されたフック部２０１であって、先端が二つ割れに形成され、かつ先端全体が略半球形に形成されたフック部２０１と、このフック部２０１が嵌着係合する前記紙幣識別機１の上面１ａと下面１ｂとに形成された係合孔２０２とから構成されている。なお、前記フック部２０１は弾性があって変形しても復元する樹脂等で形成されている。
【００７５】
なお、本願では、前記変形部２００を構成するフック部２０１と係合孔２０２との組み合わせをスナップ手段２１０という。
【００７６】
そして、図１８の要部破断拡大図で示す図１９のように、上述した変形部２００を構成する紙幣識別機１の上面１ａおよび下面１ｂの係合孔２０２にフック部２０１を矢印のように嵌着係合させることにより各位置決め支承部６を紙幣識別機１の上面１ａと下面１ｂとに位置決め配置する。なお、図１９に示すように、フック部２０１は、先端が半球状の突起形状となっており、中心部に切り込みがあり、また先端が鋭角になっているので、フック部２０１の弾性によって、当該フック部２０１が係合孔２０２内に人の手による弱い力で嵌着係合するが、係合を解除する場合には、一定以上の外力が必要となる。
【００７７】
その後、図２０で示すように、スナップ手段２１０を介して取付けた位置決め支承部６のＵ字形状の溝８（取付け孔５）を介してネジ２０を嵌挿させ、そのネジ２０をネジ止め式の取付け部１２に螺着して、紙幣識別機１を自動販売機等の機器内に取付ける。
【００７８】
この実施例７の場合は、図２１で示すように、自動販売機等の機器筐体１０の内部壁面に形成された４箇所のネジ止め式の取付け部１２に、位置決め支承部６の取付け孔５内、およびＵ字形状の溝８内にネジ２０を嵌挿させて紙幣識別機１を取付けた後、紙幣挿入口２にバール等の工具４１を差込み、これにより外力を受けて破壊しようとすると、紙幣識別機１の上部の位置決め支承部６に配設された変形部２００であるスナップ手段２１０（図２０）へ外カが加わることで、当該スナップ手段２１０のフック部２０１が変形して、係合孔２０２から脱落して分離し、位置決め支承部６と紙幣識別機１との取り付け状態が解除される。
【００７９】
これにより、紙幣識別機１全体が当該紙幣識別機１の下面１ｂ配設された位置決め支承部６を軸として後方へ傾斜する。
【００８０】
次に、パール等の工具４１を矢印Ａ方向へかけてさらに力を加え、紙幣識別機１を破壊しようとすると、工具４１の外カにより、紙幣識別機１の全体が上方へ移動する(浮き上がる)。この時、紙幣識別機１の下部の位置決め支承部６に配設された変形部２００であるスナップ手段１１０（図２０）へ外カが加わることで、当該スナップ手段２１０のフック部２０１が係合孔２０２から脱落して分離し、紙幣識別機１全体が自動販売機の内部へと落下する。
【００８１】
よって、自動販売機から紙幣識別機１の紙幣挿入口２が離れて、バール等の工具４１による破壊行為が出来なくなる。
【００８２】
なお、脱落した紙幣識別機１は、再ぴフック部２０１を係合孔２０２へ挿入することにより、機器１０内に容易に取り付け直すことが可能である。
【００８３】
従って、上記実施例７に記載したものでは、スナップ手段２１０のフック部２０１と係合孔２０２との嵌着係合、およびその解除を行うことにより自動販売機の筐体１０に対する取付け状態を変化させることが可能なので、破壊行為が未遂に終わった後、部品交換を行うことなく、再び自動販売機に紙幣識別機１を取付けることが可能となる。
【００８４】
なお、上記実施例では、先端が二つ割れに形成され、かつ先端全体が略半球形に形成されたフック部２０１とを使用するようにしたが、この発明は、上記実施例に限定されることなく、要はフック部２０１は係合孔２０２に対して嵌着係合と、その係合解除を行うことができればよいから、このような機能を満たすものであればその形状はいかなる形状でもよい。
【００８５】
また、上記実施例では、位置決め支承部６にフック部２０１を設け、紙幣識別機１側に係合孔２０２を設けるようにしたが、この発明は上記実施例に限定されることなく、紙幣識別機１側にフック部２０１を設け、位置決め支承部６側に係合孔２０２を設けるようにしてもよい。
【産業上の利用可能性】
【００８６】
以上説明したように、本願発明は、破壊を目的とした外力が紙幣識別機に加わった際に、当該紙幣識別機を自動販売機の筐体内部へ逃がして、紙幣識別機に対する外力の影響を可及的に低減させるようにした紙幣識別機の取付け構造に利用可能である。
【図面の簡単な説明】
【００８７】
【図１】図１はこの発明に係る紙幣識別機の取付け構造を適用した実施例１の紙幣識別機の概念斜視図。
【図２】図２はこの発明に係る紙幣識別機の取付け構造を採用した紙幣識別機を機器筐体内に装着した状態を示す概念断面図。
【図３】図３は図２の要部拡大断面図。
【図４】図４は図２の要部拡大断面図。
【図５】図５は本願の実施例２を示す紙幣識別機の概念斜視図。
【図６】図６は本願の実施例３を示す紙幣識別機の概念斜視図。
【図７】図７は本願の実施例４を示す紙幣識別機の概念斜視図。
【図８】図８は本願の実施例５を示す紙幣識別機の概念斜視図。
【図９】図９は本願の実施例５を示す紙幣識別機の概念斜視図。
【図１０】別部品としての変形部の拡大斜視図。
【図１１】図１１は本願の実施例６を示す紙幣識別機の背面図。
【図１２】図１２は図１１の要部破断拡大図。
【図１３】図１３は本願の実施例６を示す紙幣識別機の側面図。
【図１４】図１４は本願の実施例６に係る紙幣識別機の取付け構造を採用した紙幣識別機を機器筐体内に装着した状態を示す概念断面図。
【図１５】図１５は、実施例６に係るバネの他の実施態様を示す紙幣識別機の要部破断正面図。
【図１６】図１６は、実施例６に係るバネの他の実施態様を示す紙幣識別機の要部破断側面図。
【図１７】図１７は、実施例６に係るバネの他の実施態様を示す紙幣識別機の要部破断背面図。
【図１８】図１８は本願の実施例７を示す紙幣識別機の概念組立斜視図。
【図１９】図１９は図１８の要部拡大断面図。
【図２０】図２０は図１８の要部拡大断面図。
【図２１】図２１は本願の実施例７に係る紙幣識別機の取付け構造を採用した紙幣識別機を機器筐体内に装着した状態を示す概念断面図。
【図２２】図２２は従来の紙幣識別機の取付け構造を適用した紙幣識別機の正面図。
【図２３】図２３は従来の紙幣識別機の取付け構造を採用した紙幣識別機を機器筐体内に装着した状態を示す概念断面図。
【符号の説明】
【００８８】
１…紙幣識別機
５…取付け孔
６…位置決め支承部
１０…自動販売機等の機器筐体
１２…ネジ止め式の取付け部
２０…ネジ
３１，８０、９０、２００…変形部
３０，５０…スリット
６０…破断案内孔
７０…取付け孔を有する蛇行形成された板
９３…コイルバネ
９１，９２，１００…ネジ嵌挿用のリング
１０１…ネジ嵌挿用のＵ字形状部
２０１…フック部
２０２…係合孔
２１０…スナップ手段
【図１】
2008097552.tif 000003
【図２】
2008097552.tif 000004
【図３】
2008097552.tif 000005
【図４】
2008097552.tif 000006
【図５】
2008097552.tif 000007
【図６】
2008097552.tif 000008
【図７】
2008097552.tif 000009
【図８】
2008097552.tif 000010
【図９】
2008097552.tif 000011
【図１０】
2008097552.tif 000012
【図１１】
2008097552.tif 000013
【図１２】
2008097552.tif 000014
【図１３】
2008097552.tif 000015
【図１４】
2008097552.tif 000016
【図１５】
2008097552.tif 000017
【図１６】
2008097552.tif 000018
【図１７】
2008097552.tif 000019
【図１８】
2008097552.tif 000020
【図１９】
2008097552.tif 000021
【図２０】
2008097552.tif 000022
【図２１】
2008097552.tif 000023
【図２２】
2008097552.tif 000024
【図２３】
2008097552.tif 000025